(57)【要約】【課題】  視覚障害者が利用可能な演奏ガイドを実行可能な電子楽器を提供するる。【解決手段】  電子楽器は、複数の演奏操作子と、前記演奏操作子のそれぞれに対応して設置され、演奏操作する演奏者の指の位置に対して、光を照射する発光手段と、前記発光手段が照射する光を、所定の音声信号によって変調する変調手段と、入射する光を検出する光センサーと、前記光センサーが検出した光に変調されていた音声信号を音声に復調して、前記演奏者に通知する通知手段とを含むアタッチメントとを有する。【選択図】  図３
2007264024.tif 000002
【特許請求の範囲】
【請求項１】
複数の演奏操作子と、
前記演奏操作子のそれぞれに対応して設置され、演奏操作する演奏者の指の位置に対して、光を照射する発光手段と、
前記発光手段が照射する光を、所定の音声信号によって変調する変調手段と
を有する電子楽器。
【請求項２】
前記音声信号は、各演奏操作子に対応する音の名前を表す請求項１記載の電子楽器。
【請求項３】
さらに、演奏情報を取得する演奏情報取得手段と、
前記演奏情報に同期して、演奏ガイド音声を取得する演奏ガイド音声取得手段とを有し、
前記変調手段は、前記演奏情報によって特定される演奏操作すべき演奏操作子に対応する前記発光手段が照射する光を、前記演奏ガイド音声で変調する請求項１記載の電子楽器。
【請求項４】
前記変調手段は、前記発光手段が照射する光量を、音声信号で変調する請求項１〜３のいずれか一項に記載の電子楽器。
【請求項５】
前記発光手段が照射する光は可視光である請求項１〜４のいずれか一項に記載の電子楽器。
【請求項６】
前記発光手段が照射する光は赤外線である請求項１〜４のいずれか一項に記載の電子楽器。
【請求項７】
さらに、前記発光手段が照射する光を検出する光センサーと、該光センサーが検出した光に変調されていた音声信号を音声に復調して、前記演奏者に通知する通知手段とを含むアタッチメントを有する請求項１〜６のいずれか一項に記載の電子楽器。
【請求項８】
さらに、前記発光手段が照射する光を検出する複数の光センサーと、前記複数の光センサーの少なくとも一つを選択するにする選択手段と、前記選択された光センサーが検出した光に変調されていた音声信号を音声に復調して、前記演奏者に通知する通知手段とを含むアタッチメントを有する請求項１〜６のいずれか一項に記載の電子楽器。
【請求項９】
さらに、前記演奏情報から運指情報を取得する運指情報取得手段を有し、
前記選択手段は、前記運指情報に基づき前記光センサーを選択する請求項８記載の電子楽器。
【請求項１０】
入射する光を検出する複数の光センサーと、
前記複数の光センサーの少なくとも一つを選択する選択手段と、
前記選択された光センサーが検出した光に変調されていた音声信号を音声に復調して、前記演奏者に通知する通知手段と
を有するアタッチメント。
【発明の詳細な説明】
【技術分野】
【０００１】
本発明は、電子楽器に関し、より詳しくは、演奏ガイド機能を有する電子楽器に関する。
【背景技術】
【０００２】
演奏データに基づき、演奏ガイドを行う電子楽器が広く知られている。演奏ガイドの手法としては、鍵盤の各鍵の基端部を発光させて現在操作すべき鍵をユーザに示したり、スピーカーからガイド音声を流して音声で操作すべき鍵を指示したりするものがある（例えば特許文献１参照）。
【０００３】
また、鍵全体を光らせたり、液晶表示装置に演奏ガイドを表示したりするものも知られている。
【０００４】
【特許文献１】特開２０００-３３８９７２号公報
【発明の開示】
【発明が解決しようとする課題】
【０００５】
上述の従来の演奏ガイドつきの電子楽器では、鍵を光らせるものや液晶表示装置に演奏ガイドを表示する場合、視覚障害者が利用することができなかった。また、スピーカーを使った音声ガイドの場合は、聴衆に余計な音を聞かせてしまうため、楽器としては不都合な場合が多い。
【０００６】
さらに、視覚障害者は鍵盤を見て、鍵の位置を目で確かめることができないので、鍵の位置を把握するのが非常に困難である。鍵を見ることができない状況であっても、鍵を操作して発音させることにより当該鍵の音高を知ることができるが、演奏する際に余計な音を発音することは不適切である。
【０００７】
本発明の目的は、視覚障害者が利用可能な演奏ガイドを実行可能な電子楽器を提供することである。
【０００８】
本発明の他の目的は、演奏操作子を見なくても、操作しなくても、演奏操作子を識別することができる電子楽器を提供することである。
【課題を解決するための手段】
【０００９】
本発明の一観点によれば、電子楽器は、複数の演奏操作子と、前記演奏操作子のそれぞれに対応して設置され、演奏操作する演奏者の指の位置に対して、光を照射する発光手段と、前記発光手段が照射する光を、所定の音声信号によって変調する変調手段とを有する。
【００１０】
また、本発明の他の観点によれば、アタッチメントは、入射する光を検出する複数の光センサーと、前記複数の光センサーの少なくとも一つを選択するにする選択手段と、前記選択された光センサーが検出した光に変調されていた音声信号を音声に復調して、前記演奏者に通知する通知手段とを有する。
【発明の効果】
【００１１】
本発明によれば、視覚障害者が利用可能な演奏ガイドを実行可能な電子楽器を提供することができる。
【００１２】
また、本発明によれば、演奏操作子を見なくても、操作しなくても、演奏操作子を識別することができる電子楽器を提供することができる。
【発明を実施するための最良の形態】
【００１３】
図１は、本発明の実施例による電子楽器1のハードウェア構成を表すブロック図である。
【００１４】
電子楽器1のバス６には、ＲＡＭ７、ＲＯＭ８、ＣＰＵ９、外部記憶装置１５、検出回路１１、表示回路１３、音源回路１８、効果回路１９、通信インターフェイス（Ｉ／Ｆ）２１、アタッチメントインターフェイス（Ｉ／Ｆ）２３、ガイド音声生成回路２５、光量変調回路２７、ＬＥＤ信号割当回路２８、ＭＩＤＩインターフェイス（Ｉ／Ｆ）１６が接続される。
【００１５】
ＲＡＭ７は、バッファ領域、フラグ、レジスタ、各種パラメータ等を記憶するＣＰＵ９のワーキングエリアを有する。
【００１６】
ＲＯＭ８には、各種パラメータ及び制御プログラム、又は本実施例を実現するためのプログラム等を記憶することができる。この場合、プログラム等を重ねて、外部記憶装置１５に記憶する必要は無い。
【００１７】
ＣＰＵ９は、ＲＯＭ８又は、外部記憶装置１５に記憶されている制御プログラム等に従い、演算又は制御を行う。タイマ１０は、ＣＰＵ９に接続されており、基本クロック信号、割り込み処理タイミング等をＣＰＵ９に供給する。
【００１８】
ユーザは、検出回路１１に接続される設定操作子１２を用いて、各種入力及び設定、選択をすることができる。設定操作子１２は、例えば、文字入力用キーボード、マウス、スイッチ、パッド、フェーダ、スライダ、ロータリーエンコーダ、ジョイスティック、ジョグシャトル等、ユーザの入力に応じた信号を出力できるものならどのようなものでもよい。また、設定操作子１２は、マウス等の他の操作子を用いて操作するディスプレイ１４上に表示されるソフトスイッチ等でもよい。
【００１９】
表示回路１３は、ディスプレイ１４に接続され、各種情報をディスプレイ１４に表示することができる。ユーザは、このディスプレイ１４に表示される情報を参照して、各種入力及び設定を行う。また、ディスプレイ１４は、外部の表示装置を接続することにより構成してもよい。
【００２０】
外部記憶装置１５は、外部記憶装置用のインターフェイスを含み、そのインターフェイスを介してバス６に接続される。外部記憶装置１５は、例えばフレキシブルディスク又はフロッピー（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ Ｖｅｒｓａｔｉｌｅ Ｄｉｓｃ）ドライブ、半導体メモリ等である。
【００２１】
外部記憶装置１５として、ハードディスクドライブ（ＨＤＤ）が接続されている場合には、制御プログラム又は本実施例を実現するためのプログラム等は、外部記憶装置１５内のハードディスク（ＨＤＤ）に記憶させることもできる。ハードディスクからＲＡＭ７に制御プログラム等を読み出すことにより、ＲＯＭ８に制御プログラム等を記憶させている場合と同様の動作をＣＰＵ９にさせることができる。このようにすると、制御プログラム等の追加やバージョンアップ等が容易に行える。
【００２２】
また、ハードディスクドライブに加えて、ＣＤ−ＲＯＭドライブが接続されている場合には、制御プログラム又は本実施例を実現するためのプログラム等をＣＤ−ＲＯＭに記憶させることもできる。ＣＤ−ＲＯＭからハードディスクに制御プログラムや本実施例を実現するためのプログラム等をコピーすることができる。制御プログラム等の新規インストールやバージョンアップを容易に行うことができる。
【００２３】
ＭＩＤＩインターフェイス（ＭＩＤＩ  Ｉ／Ｆ）１６は、ＭＩＤＩ機器１７、その他の楽器、音響機器、コンピュータ等に接続できるものであり、少なくともＭＩＤＩ信号を送受信できるものである。ＭＩＤＩインターフェイス１６は、専用のＭＩＤＩインターフェイスに限らず、ＲＳ−２３２Ｃ、ＩＥＥＥ１３９４（アイトリプルイー１３９４）、ＵＳＢ等の汎用のインターフェイスを用いて構成してもよい。この場合、ＭＩＤＩメッセージ以外のデータをも同時に送受信するようにしてもよい。
【００２４】
ＭＩＤＩ機器１７は、ＭＩＤＩインターフェイス１６に接続される音響機器及び楽器等である。ＭＩＤＩ機器１７の形態は鍵盤楽器に限らず、弦楽器タイプ、管楽器タイプ、打楽器タイプ等の形態でもよい。また、音源装置、自動演奏装置等を１つの電子楽器本体に内蔵したものに限らず、それぞれが別体の装置であり、ＭＩＤＩや各種ネットワーク等の通信方法用いて各装置を接続するものであってもよい。
【００２５】
音源回路１８は、外部記憶装置１５、ＲＯＭ８又はＲＡＭ７等に記録された伴奏パターンデータ、演奏データ若しくは演奏操作子２２又はＭＩＤＩインターフェイス１６に接続されたＭＩＤＩ機器１７等から供給される演奏信号、ＭＩＤＩ信号等に応じて楽音信号を生成し、効果回路１９を介して、サウンドシステム２０に供給する。
【００２６】
効果回路１９は、音源回路１８から供給される楽音信号に対して、各種音楽的効果を付与する。サウンドシステム２０は、Ｄ／Ａ変換器及びスピーカを含み、供給されるデジタル形式の楽音信号をアナログ形式に変換し、発音する。
【００２７】
通信インターフェイス２１は、ＬＡＮ（ローカルエリアネットワーク）及びインターネット等の通信ネットワーク３に接続可能であり、該通信ネットワーク３を介して、サーバ２及び他の電子楽器と相互に接続可能である。
【００２８】
なお、通信インターフェイス２１及び通信ネットワーク３は、有線のものに限らず無線でもよい。また双方を備えていてもよい。また、通信インターフェイス２１は、内蔵のものでも良いし、ＰＣカード等の着脱可能なものでも良い。
【００２９】
鍵盤装置３０は、複数の鍵からなる演奏操作子２２及び各演奏操作子（鍵）２２に対応して設置されるＬＥＤ２９を含んで構成される。各演奏操作子（鍵）２２は、検出回路１１に接続され、ユーザの演奏動作に従い、演奏情報を供給する。ＬＥＤ群２９は、例えば、可視光又は赤外線の光量を電圧等に応じて変化させて発光可能な発光ダイオード（ＬＥＤ）である。
【００３０】
ガイド音声生成回路２５は、例えば、ＲＯＭ８又は外部記憶装置１５に予め保存された演奏ガイド又は鍵名ガイドに用いるための音声ガイド用データを読み出し、音声信号を生成して光量変調回路２７に供給する。なお、ガイド音声生成回路２５は、音源回路１８で構成してもよい。
【００３１】
ＬＥＤ信号制御装置２６は、光量変調回路２７及びＬＥＤ信号割当回路２８を含んで構成される。光量変調回路２７は、ガイド音声生成回路２５から供給される音声信号により、ＬＥＤ群２９に供給する電圧を振幅変調し、ＬＥＤ信号割当回路２８に供給する。ＬＥＤ信号割当回路２８は、ＣＰＵ９等で実行される本実施例を実現するためのプログラムに従い、変調された電圧を供給するＬＥＤ２９を切り替える。
【００３２】
アタッチメントＩ／Ｆ２３は、本実施例によるアタッチメント２４を接続するためのインターフェイスである。アタッチメントＩ／Ｆ２３は、専用のインターフェイスで構成してもよいし、ＵＳＢ等の汎用のインターフェイスを使用してもよい。アタッチメント２４は、演奏者が装着することによりＬＥＤ２９の発光を検出して音声信号に変換する。なお、アタッチメント２４の構成については、図２、図３を参照して後述する。
【００３３】
図２は、本発明の実施例によるアタッチメント２４及び鍵盤装置３０の構成例を表す概略図である。
【００３４】
図２（Ａ）は、各鍵２２の先端下部にＬＥＤ２９を配置した例である。この例では、鍵２２から垂直方向上方に向けて光線が射出されるので、アタッチメント２４の装着部２４０の下部（指の腹にあたる部分）に光センサ２４１が設置されている。アタッチメント２４は、装着部２４０をユーザの指の少なくとも一指に装着し、イヤホン２４３を耳に装着して使用する。
【００３５】
光センサ２４１は、入射する可視光又は赤外線を検出して、入射光量に応じた電圧を出力可能なセンサである。光センサ２４１から出力される信号電圧はは、アンプ２４２で増幅されて、イヤホン２４３により発音される。ＬＥＤ２９は、図１のガイド音声生成回路２５で生成されるガイド音声信号によって変調された光量で発光するので、光センサ２４１で検出する信号電荷はガイド音声信号を再現したものとなる。
【００３６】
このような構成により、発光しているＬＥＤ２９に対応する鍵２２の上方に指をかざした時に、アタッチメント２４を装着したユーザは、ガイド音声をイヤホン２４３を介して聞くことができる。なお、光センサ２４１はＬＥＤ２９光量に応じた信号電圧を出力するので、光センサ２４１が鍵２２（ＬＥＤ２９）に近づくにつれ、イヤホン２４３の音量が大きくなる。よって、図２（Ａ）に示す例の場合は、指と鍵２２の距離を音量で認識することができる。
【００３７】
ここで、変調の方法は、光の振幅を返ることにより光量を変える振幅変調であるものとして説明したが、アタッチメント２４の光を音に変換する応答の速さや人の可聴範囲よりも十分短い間隔で光をパルス状に発し、その際のパルス幅を変えるようなパルス変調によって光量を変えるものであっても良い。また、鍵からの距離によって音量を変える必要が無い場合は、ＦＭ変調など他の変調方式にして、当該他の変調方式に対応した復調ができるアタッチメント２４を用いるようにしても良い。
【００３８】
ＬＥＤ２９が発光する光は、外観を通常の電子楽器と代わらないものとする場合は、赤外線を用いるとよい。その場合は、アタッチメント２４の光センサを赤外線に対応したものとする。また、可視光を用いた場合は、従来からある操作すべき鍵を光らせて指示する演奏ガイドとしても用いることができる。さらに、可視光及び赤外線のそれぞれに対応したＬＥＤ２９を２つずつ各鍵に対応して設置するようにしてもよい。その場合には、アタッチメント２４の光センサ２４１を可視光及び赤外線のそれぞれに対応して２つ用意してもよいし、可視光から赤外領域までの感度を有する光センサを用いてもよい。
【００３９】
また、アタッチメント２４は、光センサ２４１、アンプ２４２、イヤホン２４３の構成に限らず、例えば、太陽電池とイヤホン２４３の組み合わせで実現してもよい。つまり、アタッチメント２４は、ＬＥＤ２９が発光するガイド音声で変調された光を検出して、ガイド音声を復元できる構成であればどのようなものでもよい。
【００４０】
図２（Ｂ）は、各鍵２２の基部（鍵盤装置本体側）にＬＥＤ２９を配置した例である。この例では、鍵の基部から水平方向に鍵端部に向けて光が発せられるので、光センサ２４１は、アタッチメント２４の装着部２４０の先端（指の先端に対応する部分）に設置される。その他の構成は図２（Ａ）に示す例と同一である。
【００４１】
アタッチメント２４の装着部２４０は、少なくとも一指分あれば本実施例は実現可能であるが、図３に示すように複数指分の装着部２４０及びそれに対応する光センサ２４１を有することが好ましい。複数指に対応したアタッチメント２４の場合は、図３に示すように、各指の光センサ２４１からの信号をセンサ切り替え回路２４４で切り替えることにより、所望の指に対応する光センサ２４１を選択的に動作させることができる。光センサ２４１の切り替えは、後述するように、演奏ガイドデータの運指イベントが指定する指に対応した光センサ２４１のみを有効にすることで、特定の指を押鍵すべき鍵に近づけるに従って音量が上がるようにして運指ガイドするためのものである。また、この切り替え指示は、ＣＰＵ９等で実行される本実施例を実現するためのプログラムに従い行われる。
【００４２】
図３に示したアタッチメント２４に切り替えの指示をするためには、アタッチメント２４は、図１に示したように、電子楽器１のアタッチメントＩ／Ｆ２３に接続されていなくてはならない。しかし、図２のアタッチメント２４のように切り替えの指示をしない場合は、電子楽器１のアタッチメントＩ／Ｆ２３に接続されている必要は無い。
【００４３】
なお、アタッチメント２４の装着部２４０の形状は、図に示すように各指ごとに独立したものでもよいし、グローブ状の装着部２４０を用意して、各指に光センサ２４１を設置するものでもよい。また、アタッチメント２４は、片手分でもよいし両手分を用意してもよい。本実施例では、５本指分の装着部２４０及び光センサ２４１を有するアタッチメント２４を両手に装着しているものとして説明する。
【００４４】
図４は、本発明の実施例による鍵名処理におけるＬＥＤ制御のブロック図である。
【００４５】
本実施例による鍵名処理は、ユーザが鍵盤３０を見ることができない状態で、ユーザに鍵名を認識させるための処理であり、例えば、視覚障害者が鍵を操作せずに、すなわち、発音させずに鍵名を認識することができるものである。
【００４６】
この処理では、アタッチメント２４（図１）を装着したユーザが、指を鍵２２に接触させる又は近づけることにより、光センサ２４１がＬＥＤ２９の音声信号で変調された光を検出して、ユーザに鍵名を知らせるものである。
【００４７】
ガイド音声生成回路２５は、例えば、Ｃ鍵の音声信号として、「ここがドです。」を、Ｃ♯鍵の音声として、「ここがドシャープです。」等の各鍵の鍵名に対応する音声信号を、ＲＯＭ８又は外部記憶装置１５に記憶されている音声データ（波形データ）を周期的に読み出すことにより繰り返し生成する。なお、波形データを読み出す代わりに周知の音声合成方法を用いて音声信号を生成してもよい。また、鍵名ガイド音声は、上述の固定ドでの呼び方に限らず、楽曲の調整を判断して移動ドでの呼び方にしてもよいし、音名（シー、シーシャープ…）でもよい。さらに、現在設定されている音色で各鍵に対応する音高の楽音を出力するようにしてもよいし、鍵名を各鍵の音高で発音するようにしてもよい。
【００４８】
ガイド音生成回路２５で生成された音声信号は、各鍵名に対応する光量変調回路２７に送られる。各光量変調回路２７は、電源電圧を供給される音声信号で変調してＬＥＤ信号割当回路２８に送り、ＬＥＤ信号割当回路２８は、受け取った変調電圧を、それぞれの鍵名に対応する複数の鍵２２のＬＥＤ２９に供給する。例えば、Ｃ鍵の音声信号を受け取った光量変調回路２７は、音声信号により電源電圧を変調してＬＥＤ信号割当回路２８に送り、ＬＥＤ信号割当回路２８は、当該変調電圧をＣ１（最低音）からＣ６（最高音）の各Ｃ音に対応する鍵２２のＬＥＤ２９に割り当てる。
【００４９】
このようにすることで、各鍵に対応するＬＥＤ２９からは、各鍵の鍵名の音声信号によって光量変調された光が発せられている。よって、アタッチメント２４を装着したユーザの指がＬＥＤ２９の光を受光できる範囲に近づいたときに、ユーザは光センサ２４１が検出するＬＥＤ２９の光を復調して、鍵名ガイド音声を聞くことができる。例えば、ユーザの指がＣ２鍵に対応するＬＥＤ２９の光を受光できる程度に近づいた場合、光センサ２４１は、Ｃ２鍵のＬＥＤ２９からの変調された光を検出して、信号電圧に変換することにより音声信号を復調し、アンプ２４２を介してイヤホン２４３から「ここはドです。」という音声を発音する。よって、ユーザは、自分の指を近づけた鍵がドであることが分かる。
【００５０】
なお、ここで、ＬＥＤ信号制御回路２６は、オクターブ違う各鍵（例えば、Ｃ１、Ｃ２、Ｃ３…）に同じ音声を割り当てるようにしたが、各鍵に一つずつ光変調回路を設け、各鍵の１つずつに音声信号を供給するようにしても良い。この場合は、Ｃ１、Ｃ２…（シーイチ、シーニ…）のように、オクターブの違いも指示してどこのＣ鍵かが分かるような音声を用いても良い。
【００５１】
なお、この鍵名処理では、ＬＥＤ２９が常に発光している状態となるので、可視光のＬＥＤよりも赤外線ＬＥＤを用いることが好ましい。
【００５２】
なお、この鍵名処理は、鍵名ガイド以外にも、例えば、全部の指の光センサ２４１を有効にするとともに、各鍵２２のＬＥＤ２９からの発光を各鍵２２に対応する音高で変調することにより、鍵盤を実際に操作しないで、音楽の演奏をすることを可能にする。すなわち、ユーザは指をＬＥＤ２９の発光を受光できる範囲に近づけるだけで、イヤホン２４３を介して楽音を聞くことができる。これを応用することによい、ＬＥＤ２９を所定の間隔で並べるだけで、実際には鍵２２が存在しない鍵盤装置３０を実現することもできる。
【００５３】
また、本実施例では、鍵名ごとに光量変調回路２７を用意したが、これをひとつだけ用意して時分割処理によりすべての鍵名に対応させるようにしてもよい。また、上述の例では、全ての鍵２２のＬＥＤ２９を発光させるようにしたが、一部の鍵２２のＬＥＤ２９のみを発光させて鍵名ガイドを実行してもよい。その場合は、例えば、中音域の鍵２２の鍵名のみをガイドしたり、各Ｃ音に対応する鍵のみで鍵名ガイドを実行してもよい。
【００５４】
図５は、本発明の実施例による演奏ガイド処理におけるＬＥＤ制御のブロック図である。
【００５５】
本実施例による演奏ガイド処理は、ユーザが鍵盤３０を見ることができない状態で、ユーザに演奏すべき鍵及び当該演奏に用いるべき指を認識させるための処理である。
【００５６】
この処理では、アタッチメント２４（図１）を装着したユーザが、指を鍵２２に接触させる又は近づけることにより、光センサ２４１がＬＥＤ２９の音声信号で変調された光を検出して、ユーザにガイド音声を聞かせるものである。
【００５７】
ガイド音声生成回路２５は、ＣＰＵ９の指示に従い、ノート番号等で指定される鍵２２に対応したガイド音声を生成する。例えば、ノート番号によりＣ３鍵が指定された場合、音声信号として、「ここがドです。」等の指定された鍵の鍵名に対応する音声信号を、ＲＯＭ８又は外部記憶装置１５に記憶されている音声データ（波形データ）を周期的に読み出すことにより繰り返し生成する。また、演奏データ中に波形データとして保存されているガイド音声を読み出してガイド音声を生成してもよい。なお、波形データを読み出す代わりに周知の音声合成方法を用いて音声信号を生成してもよい。また、鍵名ガイド音声は、上述の固定ドでの呼び方に限らず、楽曲の調整を判断して移動ドでの呼び方にしてもよいし、音名（シー、シーシャープ…）でもよい。さらに、現在設定されている音色で各鍵に対応する音高の楽音を出力するようにしてもよいし、鍵名を各鍵の音高で発音するようにしてもよい。さらに、Ｃ１、Ｃ２…のように、どこのＣ鍵かが分かるような音声を用いてもよい。後述するように、本実施例では、操作すべき指に対応する光センサ２４１のみをＣＰＵ９からの制御信号により有効とするが、ガイド音声として、操作すべき指の名前を含めるようにしてもよい。
【００５８】
ガイド音生成回路２５で生成されたノート番号等で指定される鍵２２に対応したガイド音声信号は、光量変調回路２７に送られる。光量変調回路２７は、電源電圧を供給されるガイド音声信号で変調してＬＥＤ信号割当回路２８に送り、ＬＥＤ信号割当回路２８は、受け取った変調電圧を、ＣＰＵ９からの制御信号に基づき、ノート番号でしてされた鍵２２のＬＥＤ２９に供給する。
【００５９】
このようにすることで、演奏ガイドデータの運指イベントで指定されるノート番号に対応するＬＥＤ２９からは、鍵名の音声信号等によって光量変調された光が発せられている。また、ユーザが装着するアタッチメント２４の光センサ２４１は、押鍵すべき指に対応するもののみが有効となっている。ユーザが押鍵操作をすべき指がＬＥＤ２９の光を受光できる範囲に近づいたときに、ユーザは光センサ２４１が検出するＬＥＤ２９の光を復調して、演奏ガイド音声を聞くことができる。例えば、ノート番号で指定される鍵がＣ３であって、指定される指が親指である場合には、Ｃ３に対応するＬＥＤ２９から鍵名等の音声信号で光量を変調された光が発光されるとともに、親指に対応する光センサ２４１のみが有効にされている。したがって、ユーザが親指以外を近づけたときには、音声ガイドを聞くことはできないが、親指を近づけたときのみは音声ガイドを聞くことができる。よって、ユーザは、Ｃ３の鍵を親指で弾くということが分かる。
【００６０】
なお、鍵名と同時に演奏操作すべき指の名前を音声ガイドとして聞かせる場合は、音声ガイドにより演奏操作すべき指が分かるので、全ての光センサ２４１を常に有効にしていてもよい。
【００６１】
図６は、本発明の実施例による再生開始処理を表すフローチャートである。この処理は、ユーザがパネル操作子１２で自動演奏データの再生開始を指示することにより起動される。なお、自動演奏データは、上述の再生開始指示によりＲＡＭ７等の再生バッファ領域に読み込まれているものとする。
【００６２】
ステップＳＡ１で、再生開始処理を開始し、ステップＳＡ２では、カレント再生位置（現在の再生位置）を自動演奏データの先頭に設定する。
【００６３】
ステップＳＡ２では、後述の演奏ガイド処理の割り込みを許可する。その後ステップＳＡ４に進み、再生開始処理を終了する。
【００６４】
図７は、本発明の実施例による演奏ガイド処理を表すフローチャートである。この処理は、タイマ割り込みにより、周期的に起動されるものである。なお、この例では、自動演奏データは、ＳＭＦ形式のＭＩＤＩデータであり、運指イベントは自動演奏データ内にシステムエクスクルーシブ（ＳｙｓＥｘ）形式で収められているものとする。特に、リリック・メタイベントとして歌詞のテキストの形式で収められているようにしてもよい。また、自動演奏データは、ＲＯＭ８又は外部記憶装置１５に予め保存されていたものを読み出す以外にも、ＭＩＤＩインターフェイス１６を介して、ＭＩＤＩ機器１７から得られるメッセージの流れ（ストリーム）であってもよい。また、運指イベントは予め自動演奏データに埋め込まれているもの以外にも、ノートオン及びノートオフイベントから自動生成したものでもよい。
【００６５】
ステップＳＢ１で、演奏ガイド処理を開始し、ステップＳＢ２では、カレント再生位置を所定時間勧める。ここでの所定時間は、例えば、この演奏ガイド処理の割り込み周期と同一の時間である。
【００６６】
ステップＳＢ３では、自動演奏データの終端に達したか否かを判断する。自動演奏データの終端に達した場合は、ＹＥＳの矢印で示すステップＳＢ４に進み、以降の割り込み処理を禁止して、ステップＳＢ１５に進み、今回の演奏ガイド処理を終了する。自動演奏データの終端に達していない場合は、ＮＯの矢印で示すステップＳＢ５に進む。
【００６７】
ステップＳＢ５では、再生バッファに読み込んだ自動演奏データに、再生時刻に達したイベントがあるか否かを判断する。再生時刻に達したイベントがある場合は、ＹＥＳの矢印で示すステップＳＢ６に進み、再生時刻に達したイベントがない場合は、ＮＯの矢印で示すステップＳＢ１５に進み、今回の演奏ガイド処理を終了する。
【００６８】
ステップＳＢ６では、再製バッファ内の自動演奏データからイベントを１つ抽出する。ステップＳＢ７では、ステップＳＢ６で抽出したイベントが運指イベントであるか否かを判断する。運指イベントである場合は、ＹＥＳの矢印で示すステップＳＢ８に進み、運指イベントでない場合は、ＮＯの矢印で示すステップＳＢ９に進む。
【００６９】
ステップＳＢ８では、ステップＳＢ６で抽出した運指イベントがノート番号で指定する指に対応するアタッチメント２４の光センサ２４１への切り替えをセンサ切り替え回路２４４に、アタッチメントＩ／Ｆ２３を介して指示する。この処理により、運指イベントで指示される指に対応する光センサ２４１のみが有効となり、その他の光センサ２４１は無効となる。よって、ユーザはどの指で演奏するべきかを認識することが可能となる。その後、ステップＳＢ５に戻る。
【００７０】
ステップＳＢ９では、ステップＳＢ６で抽出したイベントが、メロディパート（もしくはユーザが演奏ガイドを望むパート）のノートオンイベントであるか否かを判断する。ノートオンイベントである場合は、ＹＥＳの矢印で示すステップＳＢ１０に進み、ノートオンイベントでない場合は、ＮＯの矢印で示すステップＳＢ１２に進む。
【００７１】
ステップＳＢ１０では、ＬＥＤ信号割当回路２８に、バス６を経由して、ステップＳＢ６で抽出したノートオンイベントがノート番号で指定する鍵２２に対応するＬＥＤ２９への切り替えを指示する。
【００７２】
ステップＳＢ１１では、ガイド音声生成回路２５に、バス６を経由して、ステップＳＢ６で抽出したノートオンイベントがノート番号で指定する鍵２２に対応するガイド音声の生成を指示する。これを受けて、ガイド音声生成回路２５では、当該ガイド音声を、例えば、ＲＯＭ８又は外部記憶装置から読み出し、音声信号として光量変調回路２７に送出する。光量変調回路２７で変調された電圧はＬＥＤ信号制御回路２８により切り替えられたＬＥＤ２９に送られ、当該ＬＥＤ２９を音声信号で変調された電圧により発光させる。その後、ステップＳＢ１４に進む。
【００７３】
ステップＳＢ１２では、ステップＳＢ６で抽出したイベントが、メロディパート（もしくはユーザが演奏ガイドを望むパート）のノートオフイベントであるか否かを判断する。ノートオフイベントである場合は、ＹＥＳの矢印で示すステップＳＢ１３に進み、ノートオフイベントでない場合は、ＮＯの矢印で示すステップＳＢ１４に進む。
【００７４】
ステップＳＢ１３では、ＬＥＤ信号割当回路２８に、バス６を経由して、ステップＳＢ６で抽出したノートオフイベントがノート番号で指定する鍵２２に対応するＬＥＤ２９のオフを指示する。その後、ステップＳＢ１４に進む。
【００７５】
ステップＳＢ１４では、その他の処理を行う。その他の処理とは、例えば、メロディパート（もしくはユーザが演奏ガイドを望むパート）以外のパートの再生や、各パートの発音処理（メロディパート又はユーザが指定するパートの場合は設定に応じて）や、その他のイベントの処理（音色変更、音量変更、テンポ変更、歌詞表示等）である。その後、ステップＳＢ５に戻る。
【００７６】
以上、本発明の実施例によれば、各鍵にＬＥＤを設置し、該ＬＥＤから鍵名に対応する音声信号を載せた光を発することにより、指につけた光センサから音声信号を取り出して増幅し、鍵盤が発している音声をイヤホンなどで聞くことができる。よって、鍵盤を見なくとも、鍵盤の音名等を認識することができる。
【００７７】
また、本発明の実施例によれば、各鍵にＬＥＤを設置し、該ＬＥＤから演奏ガイド音声信号を載せた光を発することにより、指につけた光センサから音声信号を取り出して増幅し、鍵盤が発している演奏ガイド音声をイヤホンなどで聞くことができる。よって、鍵盤を見なくとも、演奏ガイドを受けることができる。
【００７８】
以上実施例に沿って本発明を説明したが、本発明はこれらに制限されるものではない。例えば、種々の変更、改良、組み合わせ等が可能なことは当業者に自明であろう。
【図面の簡単な説明】
【００７９】
【図１】本発明の実施例による電子楽器1のハードウェア構成を表すブロック図である。
【図２】本本発明の実施例によるアタッチメント２４及び鍵盤装置３０の構成例を表す概略図である。
【図３】本本発明の実施例によるアタッチメント２４の構成例を表す概略図である
【図４】本発明の実施例による鍵名処理におけるＬＥＤ制御のブロック図である。
【図５】本発明の実施例による演奏ガイド処理におけるＬＥＤ制御のブロック図である。
【図６】本発明の実施例による再生開始処理を表すフローチャートである。
【図７】本発明の実施例による演奏ガイド処理を表すフローチャートである。
【符号の説明】
【００８０】
１…電子音楽装置、２…サーバ、３…通信ネットワーク、６…バス、７…ＲＡＭ、８…ＲＯＭ、９…ＣＰＵ、１０…タイマ、１１…検出回路、１２…設定操作子、１３…表示回路、１４…ディスプレイ、１５…外部記憶装置、１６…ＭＩＤＩ  Ｉ／Ｆ、１７…ＭＩＤＩ機器、１８…音源回路、１９…効果回路、２０…サウンドシステム、２１…通信Ｉ／Ｆ、２２…演奏操作子、２３…アタッチメントＩ／Ｆ、２４…アタッチメント、２５…ガイド音声生成回路、２６…ＬＥＤ信号制御回路、２７…光量変調回路、２８…ＬＥＤ信号割当回路、２９…ＬＥＤ、３０…鍵盤装置、２４０…装着部、２４１…光センサ、２４２…アンプ、２４３…イヤホン、２４４…センサ切り替え回路
【図１】
2007264024.tif 000003
【図２】
2007264024.tif 000004
【図３】
2007264024.tif 000005
【図４】
2007264024.tif 000006
【図５】
2007264024.tif 000007
【図６】
2007264024.tif 000008
【図７】
2007264024.tif 000009